(57)【要約】【課題】勢いよく開封しても内容物が飛び散らない吹き出し防止蓋および容器を提供する。【解決手段】容器本体１０の上端に巻締固定されると共に部分的に開口部２１が形成された蓋体２２と、蓋体２２の内面に取り付けられ開口部２１を覆う樹脂製のフィルム２３とを備え、フィルム２３と蓋体２２内面との間には開口部２１を取り囲むシール部２４が設けられていることを特徴とする。【選択図】  図１
2004168318.tif 000002
【特許請求の範囲】
【請求項１】
容器本体の上端に巻締固定されると共に部分的に開口部が形成された蓋体と、該蓋体の内面に取り付けられ開口部を覆う樹脂製のフィルムとを備え、該フィルムと蓋体内面との間には開口部を取り囲むシール部が設けられていることを特徴とする吹き出し防止蓋。
【請求項２】
シール部はフィルムを蓋体内面に熱溶着するヒートシールによって構成されていることを特徴とする請求項１に記載の吹き出し防止蓋。
【請求項３】
フィルムの外径端部が蓋体外縁の巻締部に固定されることを特徴とする請求項２に記載の吹き出し防止蓋。
【請求項４】
シール部はフィルムの外径端部を蓋体外縁の巻締部に密封状態で巻き込むことによって構成されることを特徴とする請求項１に記載の吹き出し防止蓋。
【請求項５】
フィルムはガスバリア層を含む多層構成の樹脂フィルムで構成される請求項１乃至４のいずれかの項に記載の吹き出し防止蓋。
【請求項６】
容器本体と、該容器本体の上端に巻き締め固定される請求項１乃至５のいずれかの項に記載の吹き出し防止蓋とを備えたことを特徴とする容器。
【請求項７】
前記吹き出し防止蓋を覆い容器本体に対して着脱自在に装着されるオーバーキャップを備えたことを特徴とする請求項６に記載の容器。
【請求項８】
前記オーバーキャップには、フィルムを破断する破断手段が備えられている請求項７に記載の容器。
【発明の詳細な説明】
【０００１】
【発明の属する技術分野】
本発明は、容器内が陽圧化した状態で内容物が保存される容器に関し、特に初期開封時の内容物の飛び散りを防止する吹き出し防止蓋およびこれを用いた容器に関する。
【０００２】
【従来の技術】
レギュラーコーヒー缶詰は、通常真空脱臭や窒素置換を行っているが、このような方法ではコーヒーから炭酸ガスが発生すると同時に香りも飛散し、香りの少ないコーヒーとなってしまう。そこで、従来からドライアイスなどで容器内を炭酸ガスで充満させて陽圧化し、コーヒーからの香りの飛散を防止して香りの強いコーヒーを得るようになっている。
しかしながら、缶内が陽圧のため、開封時に炭酸ガスと共にコーヒーの粉末が吹き出してくる。これを防止するため、従来からタブの開口部にフィルターなどを取り付けた吹き出し防止蓋が考案されている（特許文献１，２参照）。
【０００３】
【特許文献１】実開昭６３−１４４４２８号公報
【特許文献２】特開平３−１３３７４４号公報
これら特許文献１，２には、初期破断される開口用タブの固定部周縁にフィルタや濾紙を取付け、初期開封時にガスのみ逃がして内容物の吹き出しを防止する技術が記載されている。
【０００４】
【発明が解決しようとする課題】
しかしながら上記した従来の吹き出し防止蓋の場合には、開口用タブをゆっくり持ち上げる場合は内容物の吹き出しを防止できるものの、勢いよく開口用タブを持ち上げるとフィルタからガスが抜けきれない内にフィルタと蓋体間に隙間が生じる。この隙間から内容物が吹き出し、フィルタを付けた効果が失われてしまうという問題があった。
【０００５】
本発明は上記した従来技術の問題点を解決するためになされたもので、その目的とするところは、陽圧状態を確実に保持でき、しかも開封時の内容物の吹き出しを防止できる吹き出し防止蓋およびこれを用いた容器を提供することにある。
【０００６】
【課題を解決するための手段】
上記目的を達成するために、本発明にあっては、容器本体の上端に巻締固定されると共に部分的に開口部が形成された蓋体と、該蓋体の内面に取り付けられ開口部を覆う樹脂製のフィルムとを備え、該フィルムと蓋体内面との間には開口部を取り囲むシール部が設けられていることを特徴とする。
【０００７】
シール部はフィルムを蓋体内面に熱溶着するヒートシールによって構成されていることを特徴とする。
また、フィルムの外径端部が蓋体外縁の巻締部に固定されることを特徴とする。
シール部はフィルムの外径端部を蓋体外縁の巻締部に密封状態で巻き込むことによって構成してもよい。
フィルムはガスバリア層を含む多層構成の樹脂フィルムで構成されることを特徴とする。
【０００８】
本発明の容器は、容器本体と、容器本体の上端に巻き締め固定される上記した吹き出し防止蓋とを備えたことを特徴とする。
また、吹き出し防止蓋を覆い容器本体に対して着脱自在に装着されるオーバーキャップを備えたことを特徴とする。
オーバーキャップには、フィルムを破断する破断手段が備えられていることを特徴とする。
【０００９】
【発明の実施の形態】
以下に本発明を図示の実施の形態に基づいて説明する。
図１は、本発明の実施の形態に係る吹き出し防止蓋が用いられた容器を示している。
すなわち、この容器１は、容器本体１０と、容器本体１０の上端に巻締固定される吹き出し防止蓋２０と、吹き出し防止蓋２０を覆い容器本体１０に対して着脱自在に装着されるオーバーキャップ３０とを備えた構成となっている。
容器本体１０は有底円筒形状の金属製容器で、上端部外周にオーバーキャップ３０とねじ係合する雄ねじ部１１が形成されている。
【００１０】
吹き出し防止蓋２０は、部分的に開口部２１が形成された蓋体２２と、蓋体２２の内面に取り付けられ開口部２１を覆う樹脂製のフィルム２３とを備え、フィルム２３と蓋体２２内面との間には開口部２１を取り囲むシール部２４が設けられている。蓋体２２の外径端部と容器本体１０の上端との巻締部１２は、雄ねじ部１１よりも小径に絞られている。
【００１１】
蓋体２２の外周は円形で、開口部２１は蓋体外周と同心円状の円形となっている。開口部２１の開口縁は上方に向けてめくり返された円環状のカール部２５となっている。
シール部２４はフィルム２３を蓋体２２の内側に位置する面に熱溶着するヒートシールによって構成されている。
フィルム２３はアルミ箔等のガスバリア層と樹脂層を含む多層樹脂フィルムで構成される。フィルム２３には、容器本体１０内が陽圧になってもシール部２４が剥離しないように充分なシール強度を持つフィルムが使用される。
【００１２】
図２（Ｃ）には、蓋体２２とフィルム２３の層構成の一例が示されている。
図示例では、蓋体２２は、ブリキ（ＳＰＴＥ）等の金属材２２ａの内外面が合成樹脂製の塗膜２２ｂ，２２ｃによってコーティングされ、さらに外面の塗膜２２ｂの上にヒートシール用のＰＥ層２２ｄがコーティングされた構成となっている。
フィルム２３は、ガスバリア層としてのアルミ箔２３ａの内面及び外面にＰＥＴフィルム２３ｂ，２３ｃが積層され、さらに内側のＰＥＴフィルム２３ｂには、ヒートシール用のＰＥ層２３ｄが積層された構成となっている。
【００１３】
オーバーキャップ３０には、フィルム２３を破断する破断手段としてのカッター３１が備えられている。この例では、図１（Ｂ）に示すように、キャップ３０の天板部３２の裏にカッター３１が折り畳まれた状態で装着されている。この場合には、まず、オーバーキャップ３０を開封し、オーナーキャップ３０内面に折り畳まれているカッター３１を爪で起こした後、再度、オーバーキャップ３０を装着する。このとき、カッター３１によりフィルム２３が破断される。また、特別の破断手段を用いず、ナイフ等によって破断するようにしてもよい。
【００１４】
上記構成の容器の製造手順は、容器本体１０にドライアイスを供給後レギュラーコーヒー等の内容物を充填し、ドライアイスが未昇華の状態で吹き出し防止蓋を巻締密封する。
これにより、容器内の空気が炭酸ガスにより追い出されてコーヒー等の酸化劣化が防止できると共に、ドライアイスが昇華すると容器内は陽圧となる。
ガス圧によってシール部２４が開口部２１に向かって引っ張られるが、ガス圧がフィルム２３を蓋体２２裏面に対して押し付けてシール部２４のシール強度を高める方向に作用しているので、シール部２４の剥離が防止される。
【００１５】
また、ガス圧によってフィルム２３は膨張し、図３に示すように、開口部２１から蓋体２２上面より上方に張り出す外観となる。開封前の膨張した容器外観は一般的には好ましくないが、レギュラーコーヒーの場合は陽圧となっている外観がコーヒーの香りを保持している証拠となり、新鮮な香りの高いコーヒーの外観を示していることになる。この張り出しは、オーバーキャップ３０によって覆われている。
【００１６】
開封する場合には、オーバーキャップ３０を外し、オーバーキャップ３０の天板部３２に設けられたカッター３１のスコア部３１ａを内側に折り曲げて下方に突出させ、オーバーキャップ３０を再び装着してカッター３１を吹き出し防止蓋２０のフィルム２３に押し込む。
これにより、図４に示すように、カッター３１がフィルム２３を突き破り、容器内のガスが抜けて陽圧が解消される。フィルム２３の破損部２３ａはカッター３１が入り込んでいるため、勢いよく開封してもカッター３１と破損部２３ａの隙間からガスのみが解放され、コーヒーの粉末は飛び散ることはない。
そして、オーバーキャップ３０を回転することにより、カッター３１が開口部２１の開口縁に沿って円周上にフィルム２３をカットすることになり、１回転するとフィルム２３を全周にわたりカットできる。開口面積が広くなるために、スプーンで一定量のコーヒーを軽量することが可能となり、常に一定濃度のコーヒーを飲用することができる。
【００１７】
開口部２１の形状としては、図５（Ａ）に示すような半月形状としてもよい。すなわち、蓋体２２の外周と同心円状の円弧部２１ｂと、円弧部２１ｂの両端を結ぶ直線部２１ａとを備え、円弧部２１ｂと直線部２１ａとの角部は円弧形状となっている。
このように半月形状とすれば、直線部２１ａをスプーンの擦り切り部として利用可能であり便利である。半月形状の場合のフィルム２３の開封は、オーバーキャップ３０を半回転することにより開口部２１の円弧部２１ｂに沿ってフィルム２３を半円形状にカットすることができる。
初期開封した後は、オーバーキャップ３０を装着して開口部２１を閉塞する。オーバーキャップ３０締め込み時に、天板部３２を開口部２１のカール部２５上端に圧接させてリシールすることも可能である。
【００１８】
図５（Ｂ），（Ｃ）は、フィルムの他の取付例を示している。
図５（Ｂ）は、フィルム２３の外径端を巻締部１２まで延ばし、巻締部１２に巻き込んで固定したものである。
このようにすれば、シール部２４のせん断方向のずれを防止することができ、シール部２４の剥れ防止効果を高めることができる。
図５（Ｃ）に示すように、シール部２４を設けないでフィルム２３の外径端部を蓋体２２の巻締部１２に密封状態で巻き込み、巻締部１２をシール部２４としてもよい。
なお、上記実施の形態では内容物としてレギュラーコーヒーを例にとって説明したが、レギュラーコーヒーの他に抹茶など非常に細かい粉体を充填した容器などに広く応用可能である。
【００１９】
【実施例】
吹き出し防止蓋の試作蓋として、メガネ蓋の内側にアルミ箔入り多層フィルムをヒートシールした。多層フィルムの層構成は、３８μのＰＥＴフィルム層、２０μのアルミ箔、２０μのＰＥ層、３０μのＰＥ層の４層構造とした。
陽圧化条件として粉末状ドライアイス２．５ｇを空き缶に供給後、レギュラーコーヒー１５０ｇを充填し、直ちに巻き締めた。
これにより、缶内圧は０．１７７〜０．１９６ＭＰａ（１．８〜２．０ｋｇ・ｃｍ２）となった。このように缶内が陽圧となっても、シール部は剥離することなく陽圧状態が保たれた。そして、約０．２ＭＰａの缶内圧によりフィルム２３が膨らんだ状態となった。
【００２０】
図６は、吹き出し防止蓋２０の張り（平坦なパネル部２０ａからの高さ）状態の比較図である。
開口部２１の形状が円形で、開口径Ｄを２５φ、４０φ、６０φとしたものと、開口部２１の形状が図５（Ａ）に示したような半月形状で、直線部２１ａと円弧部２１ｂ間の間隔Ｒが３０ｍｍの吹き出し防止蓋を用意し、フィルム２３が巻締部の上端から張り出す高さｈを張りの高さとして測定した。開口径Ｄが２５φでは張りの高さｈは０ｍｍで（図６（Ａ）参照）、４０φでは張りの高さｈは４ｍｍ（図６（Ｂ）参照）、６０φでは張りの高さｈは１０ｍｍ（図６（Ｃ）参照）、半月形状では張りの高さｈが５ｍｍであった（図６（Ｄ）参照）。
【００２１】
【発明の効果】
以上説明したように、本発明によれば次のような効果が得られる。
請求項１および請求項６に記載の発明によれば、容器本体の上端に巻締固定されると共に部分的に開口部が形成された蓋体と、蓋体の内面に取り付けられ開口部を覆う樹脂製のフィルムとを備え、フィルムと蓋体内面との間には開口部を取り囲むシール部が設けられる構成となっているので、フィルムによって確実にシールすることができる。
また、フィルムを破断する際に、カッター等の破断手段をフィルムに突き刺した瞬間にガスが抜けて陽圧が解消されるが、その瞬間には突き刺して破れた部分は破断手段で塞がれており、破断手段と破れ目の隙間からガスのみが解放され、内容物の吹き出しは破れ部に入り込んでい破断手段によって阻止される。
また、フィルムが圧力によって外側に膨張するので、陽圧状態が維持されていることが、フィルムの膨張状態で一目で確認することができ、内容物の品質保持の証明となる。
【００２２】
請求項２に記載の発明によれば、シール部はフィルムを蓋体内面に熱溶着するヒートシールによって構成されているので、シールが確実にできる。
請求項３に記載の発明によれば、容器内の圧力によってフィルムが開口部に向かって引っ張られても、フィルムの外径端部が蓋体外縁の巻締部に固定されているので、シール部に作用するせん断力が小さく剥離するおそれがない。
【００２３】
請求項４に記載の発明によれば、シール部はフィルムの外径端部を蓋体外縁の巻締部に密封状態で巻き込むことによって構成されるので、ヒートシールなどのシール部を別に設ける必要がなく構成が単純になる。
【００２４】
請求項５に記載の発明によれば、フィルムはガスバリア層を含む多層構成の樹脂フィルムで構成されるので、シールがより一層確実になる。
請求項７に記載の発明によれば、吹き出し防止蓋を覆い容器本体に対して着脱自在に装着されるオーバーキャップを備えたので、開封後のリシールと共に、陽圧によって蓋体から張り出したフィルムの膨張部分を覆い隠すことができる。
請求項８に記載の発明によれば、オーバーキャップには、フィルムを破断する破断手段が備えられているので、開封のためにナイフ等を用意する必要がなく便利である。
【図面の簡単な説明】
【図１】図１（Ａ）は本発明の実施の形態に係る吹き出し防止蓋を取り付けた容器の概略斜視図、同図（Ｂ）は同図（Ａ）のオーバーキャップの縦断面図、同図（Ｃ）は同図（Ａ）の容器の吹き出し防止蓋の平面図、同図（Ｄ）は同図（Ａ）の吹き出し防止蓋の裏面図である。
【図２】図２（Ａ）は図１の容器の吹き出し防止蓋の断面図、同図（Ｂ）は同図（Ａ）の開口部の要部拡大断面図、同図（Ｃ）は蓋体とフィルムの層構成を示す断面図である。
【図３】図３（Ａ）は図１の容器のフィルムが膨張した状態の要部斜視図、同図（Ｂ）は同図（Ａ）の断面図である。
【図４】図４（Ａ）乃至（Ｃ）は図１の容器の吹き出し防止蓋の開封例を示す説明図である。
【図５】図５（Ａ）は図１の吹き出し防止蓋の開口形状の他の形状例を示す平面図、同図（Ｂ），（Ｃ）は図１の吹き出し防止蓋の他の取付例を示す裏面図である。
【図６】図６（Ａ）乃至（Ｄ）は図１の吹き出し防止蓋の開口部の大きさおよび形状を異ならせた場合のフィルムの張り状態を比較した試験結果を示す図である。
【符号の説明】
１  容器
１０  容器本体
１２  巻締部
２０  吹き出し防止蓋
２１  開口部、２２  蓋体、２３  フィルム、
２３ａアルミ箔（ガスバリア層）、２４  シール部、２５  カール部
３０  オーバーキャップ
３１  カッター（破断手段）、３１ａ  スコア、３２  天板部
【図１】
2004168318.tif 000003
【図２】
2004168318.tif 000004
【図３】
2004168318.tif 000005
【図４】
2004168318.tif 000006
【図５】
2004168318.tif 000007
【図６】
2004168318.tif 000008